【手続補正書】
【提出日】平成18年6月13日(2006.6.13)
【手続補正１】
【補正対象書類名】特許請求の範囲
【補正対象項目名】全文
【補正方法】変更
【補正の内容】
【特許請求の範囲】
【請求項１】
密閉された内部容積を有するガス貯蔵および分配容器と、
前記ガス貯蔵および分配容器の内部容積内の活性炭吸着剤媒体と、
前記ガス貯蔵および分配容器内のゲルマンガスであって、内部容積内の前記吸着剤媒体に吸着したゲルマンガス、および内部容積内に存在する非吸着状態の自由ゲルマンガスを含む前記ゲルマンガスと、
前記吸着剤媒体からゲルマンを脱着させ、かつ、容器からゲルマンを分配する手段と、
を備えるゲルマン貯蔵および分配システムであって、
前記活性炭吸着剤媒体は、前記内部容積内の非吸着状態の前記自由ゲルマンガスが爆燃を受ける条件下で、そこに吸着されるゲルマンガスに関して爆燃耐性があり、前記内部容積内の前記吸着剤に吸着したゲルマンガス、および、内部容積内に存在する非吸着状態の自由ゲルマンガスを含む前記ゲルマンガスは、前記ガス貯蔵および分配容器に供給される前に、前記活性炭吸着剤媒体は、前処理量のゲルマンガスと高温度で接触し、かつ、前記前処理量のゲルマンガスが活性炭吸着剤媒体から脱着されることによって、その活性部位の不動態化のために前処理されている、ゲルマン貯蔵および分配システム。
【請求項２】
前記活性炭吸着剤媒体は、内部容積の少なくとも３０％を占める、請求項１に記載のゲルマン貯蔵および分配システム。
【請求項３】
前記活性炭吸着剤媒体は、内部容積の少なくとも７５％を占める、請求項１に記載のゲルマン貯蔵および分配システム。
【請求項４】
前記活性炭吸着剤媒体は、内部容積の少なくとも９０％を占める、請求項１に記載のゲルマン貯蔵および分配システム。
【請求項５】
（ａ）外来の吸着可能物質を活性炭素吸着剤媒体から熱的に脱着させるように、活性炭吸着剤媒体を加熱するステップ、
（ｂ）外来の吸着可能物質を、活性炭吸着剤媒体から流動する吸着不可能なガスの中に脱着させるように、吸着不可能なガスを活性炭吸着剤媒体と接触させて流すステップ、
（ｃ）外来の吸着可能物質を活性炭吸着剤媒体から減圧脱着させるように、活性炭吸着剤媒体に減圧状態を適用するステップ、
からなるステップの群から選択される少なくとも１つのステップによって、ゲルマンガスのそこへの吸着前の前記活性炭吸着剤媒体は、外来の吸着可能物質をそこから脱着させるために処理されている、請求項１に記載のゲルマン貯蔵および分配システム。
【請求項６】
前記活性炭吸着剤媒体は、ステップ（ａ）によって処理されている、請求項５に記載のゲルマン貯蔵および分配システム。
【請求項７】
前記活性炭吸着剤媒体は、ステップ（ｂ）によって処理されている、請求項５に記載のゲルマン貯蔵および分配システム。
【請求項８】
前記活性炭吸着剤媒体は、ステップ（ｃ）によって処理されている、請求項５に記載のゲルマン貯蔵および分配システム。
【請求項９】
圧力調整器が、容器から分配されるゲルマンガスの圧力を制御するために、ガス貯蔵および分配容器の内部容積内に配設される、請求項１に記載のゲルマン貯蔵および分配システム。
【請求項１０】
ゲッターが、前記ガス貯蔵および分配容器に配設され、かつ、前記ガス貯蔵および分配容器内でゲルマンガスの分解によって生成した水素を選択的に化学吸着するように構成される、請求項１に記載のゲルマン貯蔵および分配システム。
【請求項１１】
前記ゲッターは、前記ゲッターを水素以外のガスのそこへの透過から隔離する水素透過性膜によって、前記内部容積内に保護された関係で配設される、請求項１０に記載のゲルマン貯蔵および分配システム。
【請求項１２】
ガス貯蔵および分配容器の内部容積内に配置され、かつ、内部容積内の水素ガスの存在を示す信号を発信するように動作可能に構成される水素センサをさらに備える、請求項１に記載のゲルマン貯蔵および分配システム。
【請求項１３】
ゲルマンを前記吸着剤媒体から脱着させ、かつ、ゲルマンを容器から分配する前記手段は、前記ガス貯蔵および分配容器に連結したバルブヘッドアッセンブリを備え、前記バルブヘッドアッセンブリは、ゲルマンガスを容器から分配するために流量制御バルブを開けるように選択的に作動させ得る流量制御バルブをその中に備える、請求項１に記載のゲルマン貯蔵および分配システム。
【請求項１４】
前記活性炭吸着剤媒体は、合成炭化水素樹脂の熱分解生成物である、請求項１に記載のゲルマン貯蔵および分配容器。
【請求項１５】
前記活性炭吸着剤媒体は、天然物の熱分解生成物である、請求項１に記載のゲルマン貯蔵および分配システム。
【請求項１６】
前記活性炭吸着剤媒体は、分割した形態で提供されることを特徴とする、請求項１に記載のゲルマン貯蔵および分配システム。
【請求項１７】
前記分割した形態は、略球形微粒子の形態を含む、請求項１６に記載のゲルマン貯蔵および分配システム。
【請求項１８】
前記活性炭吸着剤媒体は、ビーズ活性炭を含む、請求項１に記載のゲルマン貯蔵および分配システム。
【請求項１９】
前記活性炭吸着剤媒体は、ビーズ、微粒、ペレット、平板、微粉、微粒子、押出し品、布、ウェブ形材料、ハニカム、モノリシック形態、複合材、ならびに、その粉砕および圧砕の形態よりなる群から選択される形態である、請求項１に記載のゲルマン貯蔵および分配システム。
【請求項２０】
ゲルマンを前記吸着剤媒体から脱着させ、かつ、ゲルマンを容器から分配する前記手段は、バルブ、調整器、モニタ、センサ、流れを導く手段、圧力調整器、質量流量制御装置、配管、計測器、ならびに、起動および遮断装置よりなる群から選択される少なくとも１つの装置を備える、請求項１に記載のゲルマン貯蔵および分配システム。
【請求項２１】
前記ガス貯蔵および分配容器の圧力が、１０〜７５０トールの範囲である、請求項１に記載のゲルマン貯蔵および分配システム。
【請求項２２】
前記ガス貯蔵および分配容器の圧力が、大気圧超の圧力である、請求項１に記載のゲルマン貯蔵および分配システム。
【請求項２３】
前記大気圧超の圧力が、約５０ｐｓｉｇを超えない、請求項２２に記載のゲルマン貯蔵および分配システム。
【請求項２４】
ゲルマンを前記吸着剤媒体から脱着させ、かつ、ゲルマンを容器から分配する前記手段は、ゲルマンガスを前記活性炭吸着剤媒体から熱的に脱着させる手段を備える、請求項１に記載のゲルマン貯蔵および分配システム。
【請求項２５】
ゲルマンを前記吸着剤媒体から脱着させ、かつ、ゲルマンを容器から分配する前記手段は、前記活性炭吸着剤媒体から、ゲルマンガスの圧力が介在した脱着を遂行するように組立てられ、かつ、構成されるゲルマン分配組立体を備える、請求項１に記載のゲルマン貯蔵および分配システム。
【請求項２６】
ゲルマンガスを、非吸着状態の自由ゲルマンガスも含む格納帯域で活性炭吸着剤媒体に物理吸着させるステップと、
ゲルマンを前記活性炭吸着剤媒体から選択的に脱着させ、かつ、ゲルマンを格納帯域から吐出させるステップと、
を含むゲルマンの貯蔵および分配方法であって、
前記格納帯域内の非吸着状態の前記自由ゲルマンガスが爆燃を受ける条件下で、前記活性炭吸着剤媒体が、そこに吸着されるゲルマンガスに関して爆燃耐性があり、
非吸着状態の自由ゲルマンガスも含む格納帯域で活性炭吸着剤媒体にゲルマンガスを物理吸着させるステップの前に、前記活性炭吸着剤媒体が、前処理量のゲルマンガスと高温度で接触し、かつ、前記前処理量のゲルマンガスが活性炭吸着剤媒体から脱着されるステップによって、その活性部位の不動態化のために前処理されている、方法。
【請求項２７】
ゲルマンの貯蔵および分配の用に供するための活性炭吸着剤材料を調製する方法であって、
吸着剤材料を不活性ガスでパージするステップと、
吸着剤材料から不活性ガスを排気するステップと、
吸着剤材料を減圧下で高温度に加熱し、吸着剤材料を脱水するのに十分な時間、前記減圧および高温度を維持するステップと、
吸着剤材料を減圧下で周囲温度に冷却するステップと、
吸着剤材料をゲルマンガスによって、高温度で不動態化するステップと、
不動態化ゲルマンガスを吸着剤材料から除去するステップと、
吸着剤材料を減圧下で周囲温度に冷却するステップと、
を含む、方法。
【手続補正２】
【補正対象書類名】明細書
【補正対象項目名】００６０
【補正方法】変更
【補正の内容】
【００６０】
ガス貯蔵および分配容器１１２は、図示のように、ネック部１１８を備えた細長い特徴があり、そのネック部にバルブヘッドアッセンブリ１２０が接続され、示した実施形態では、バルブヘッドアッセンブリには単一のブロックバルブ体１２４が含まれ、このブロックバルブ体は、バルブ体内のバルブの手動開閉用のこれに連結されるはずみ車１２６を有する。バルブ体１２４は、はずみ車１２６を回転させてバルブ体１２４内のバルブを開けたとき、ガス貯蔵および分配容器内の吸着剤材料から脱着したゲルマンガスを分配するため、バルブ体に結合されるＶＣＲコネクタなどの継手１２６（ａ）を有する。
【手続補正３】
【補正対象書類名】明細書
【補正対象項目名】００６２
【補正方法】変更
【補正の内容】
【００６２】
別の方法として、継手１２６（ａ）は、ガス貯蔵および分配容器１１２を、ポンプ、ブロワ、エジェクタ、エダクタ、圧縮機、ファン、クライオポンプ、圧力確立回路を含むマニホールドまたは流れ回路に、あるいは、容器１１２内の吸着剤材料床からゲルマン吸着物質ガスを抜き出す働きをする、他の原動力のある流体インペラ装置に接続することができる。